(57)【要約】【課題】鋼材等の重量物を搬送するチエーンコンベヤ型搬送装置であって、荷下ろし時にチェーンが衝撃で破損するおそれがないようにするとともに、駆動源に過大な負荷が掛からないようにし設備費を軽減させる。また、スキッドレール上に何時でも荷下ろしができるようにするとともに、適宜タイミングで搬送物を送り出すことができるようにし、使い勝手を向上させる。【解決手段】チエーンコンベヤ１の長手方向の一部にスキッドレール６をその上面が該チエーンコンベヤの搬送面２より少し高くなるように設けるとともに、該チエーンコンベヤのチェーン３に前記スキッドレールの上面より突出する爪片４ａ，４ｂを適宜間隔にて固着し、該スキッドレール上に載置された搬送物ｈ１〜ｈ４が該チエーンコンベヤを駆動することにより該爪片によって押送され該チエーンコンベヤの搬送面上に移載されるようにした。チェーンに固着する爪片の間隔をスキッドレールの長さの略々２倍よりも長く設定する。【選択図】  図１
2005008364.tif 000002
【特許請求の範囲】
【請求項１】
チエーンコンベヤの長手方向の一部にスキッドレールをその上面が該チエーンコンベヤの搬送面より少し高くなるように設けるとともに、該チエーンコンベヤのチェーンに前記スキッドレールの上面より突出する爪片を適宜間隔にて固着し、該スキッドレール上に載置された搬送物が該チエーンコンベヤを駆動することにより該爪片によって押送され該チエーンコンベヤの搬送面上に移載されるようにしたことを特徴とするチエーンコンベヤ型搬送装置。
【請求項２】
チェーンに固着する爪片の間隔をスキッドレールの長さの略々２倍よりも長く設定したことを特徴とする請求項１に記載のチエーンコンベヤ型搬送装置。
【発明の詳細な説明】
【０００１】
【発明の属する技術分野】
本発明は重量物を搬送するチエーンコンベヤ型搬送装置に関するものである。
【０００２】
【従来の技術】
【特許文献１】
特開２００１−１９２１０９号公報
【０００３】
特許文献１に示されているように鋼材等の重量物を搬送するのに従来からチエーンコンベヤが使用されている。また、所要搬送方向に搬送物を振分するに際し、チエーンコンベヤを垂直に昇降動させ、搬送物を目的とするコンベヤに移載する構成も従来から知られている。
【０００４】
【発明が解決しようとする課題】
ところで一般に鋼材等の重量物は、クレーンにより吊り下げられてチエーンコンベヤ上に降ろされ、該チエーンコンベヤの駆動によって工場内の所要部所に搬送されるが、従来のチエーンコンベヤでは、クレーンから重量物を降ろしたときの衝撃がチエーンに直に加わるので、その衝撃によりチエーンを破損させるおそれがあった。また、従来のチエーンコンベヤでは、駆動によって搬送面上に乗せられた多数の搬送物を同時に移送させるために、駆動源であるモータに掛かる負荷が大きくなり設備費を増大させるおそれがあった。
【０００５】
そこで本発明は、荷下ろししたときチェーンに衝撃が加わり破損するようなおそれがないとともに、設備費を軽減でき、かつまた使い勝手を向上できるチエーンコンベヤ型搬送装置を提供し、上記課題等を解決しようとするものである。
【０００６】
【課題を解決するための手段】
そのために本発明のチエーンコンベヤ型搬送装置は、チエーンコンベヤの長手方向の一部にスキッドレールをその上面が該チエーンコンベヤの搬送面より少し高くなるように設けるとともに、該チエーンコンベヤのチェーンに前記スキッドレールの上面より突出する爪片を適宜間隔にて固着し、該スキッドレール上に載置された搬送物が該チエーンコンベヤを駆動することにより該爪片によって押送され該チエーンコンベヤの搬送面上に移載されるようにしたことを特徴とする。
このため、荷下ろし時にチェーンに衝撃が加わるおそれがなく、スキッドレール上に何時でも荷下ろしができる。
【０００７】
また本発明はチエーンコンベヤ型搬送装置において、チェーンに固着する爪片の間隔をスキッドレールの長さの略々２倍よりも長く設定したことを特徴とする。
このため、駆動源に過大な負荷が掛からず、設備費を軽減できるとともに、適宜タイミングで搬送物を送り出すことができる。
【０００８】
【発明の実施の形態】
次に本発明の実施形態を図面に従い説明する。図１はこのチエーンコンベヤ型搬送装置の側面図、図２は平面図である。図中、１はチエーンコンベヤで、該チエーンコンベヤはコンベヤメンバー１ａ，１ｂを平行に配置することにより長尺鋼材等の搬送物を搬送面２上に支持し水平に搬送し得るように構成され、その無端状のチエーン３に適宜間隔にて爪片４ａ，４ｂを突設している。なお、５は該チエーンコンベヤの駆動源であるモータを示す。
【０００９】
６は該チエーンコンベヤ１の長手方向の一部に上面が該チエーンコンベヤの搬送面より少し高くなるように設けられた一対のスキッドメンバー６ａ，６ｂからなるスキッドレールである。なお、前記爪片４ａ，４ｂは該スキッドレール６の上面より突出するような長さを有している。また、２つの爪片４ａ，４ｂの間隔は該スキッドレール６の長さＬの略々２倍よりも長くなるよう設定される。
【００１０】
このように構成した搬送装置では、クレーン等により運ばれてきた鋼材等の多数の搬送物ｈ１〜ｈ４がスキッドレール６上に降ろされる。そのときチエーン３には直接その搬送物ｈ１〜ｈ４の荷重が掛からないので衝撃によりチエーン３が破損するおそれはない。そして、モータ５の動力でチエーン３を矢印の方向に回転駆動させることにより、爪片４ａ，４ｂが巡回し、一方の爪片４ａにより該スキッドレール６上の搬送物ｈ１〜ｈ４が押送されることから、該搬送物ｈ１〜ｈ４は該スキッドレール６上を矢印に示した方向にスライドし、該搬送物ｈ１〜ｈ４は該スキッドレール６の先端部から該チエーン３の搬送面上に移載され、図３に示したように、該チエーンコンベヤ１の先端部まで搬送される。そしてさらに該チエーン３が回転駆動されることにより、該搬送物ｈ１〜ｈ４を先頭の物から順に機械装置（図示せず）に必要なタイミングで送り込むことができる。
【００１１】
またこの間に、図４に示したように、スキッドレール６上に次の搬送物ｈ５〜ｈ８を降ろすことができる。そのとき、爪片４ｂは未だスキッドレール６の後方に位置していて搬送物ｈ５〜ｈ８に係合する位置関係にないことから、スキッドレール６上に搬送物ｈ５〜ｈ８を降ろしても該チエーン３の駆動源であるモータ５に新たにこの搬送物ｈ５〜ｈ８の負荷が掛かることはない。そして、先行する搬送物ｈ１〜ｈ４を全部送り出したところで、爪片４ｂがスキッドレール６上の搬送物ｈ５〜ｈ８に係合し該搬送物ｈ５〜ｈ８を押送できるようになる。そして、該搬送物ｈ５〜ｈ８は前記と同様にスキッドレール６上をスライドしチエーン３の搬送面上に移載され該チエーンコンベヤの先端部に搬送され適宜タイミングで次の機械装置に送り込むことができる。
【００１２】
このようにこの搬送装置では、チエーン３の搬送面上から全部の搬送物が送り出されるまで待つことなく、次の搬送物をスキッドレール６上に荷下ろしすることができる。また、スキッドレール６上の搬送物は爪片４ａまたは４ｂが巡回して来ない限り押送されないので、駆動源に過大な負荷が掛かることがなく、モータ５の所要出力が小さくて済み、設備費を節減できる。
【００１３】
一方、図５は本発明の他の実施形態を示すものである。この実施形態では長手のチエーンコンベヤ１の略中間部に上面を該チエーンコンベヤの搬送面より少し高くしたスキッドレール６を設けるとともに、チエーン３に該スキッドレール６の長さの略々２倍よりも長い間隔にて爪片４ａ，４ｂ，４ｃを固着し、該チエーン３はモータを正逆転させることにより回転駆動方向を変えられるようにしている。このように構成することによりこの搬送装置では、スキッドレール６上の搬送物ｈ１〜ｈ４をチエーン３の回転駆動方向に準じて左右いずれの方向にも搬送することができる。そしてこの実施形態にあっても図１に示した搬送装置と同様の作用，効果を奏する。
【００１４】
【発明の効果】
以上説明したように本発明に係るチエーンコンベヤ型搬送装置は、チエーンコンベヤの長手方向の一部にスキッドレールをその上面が該チエーンコンベヤの搬送面より少し高くなるように設けるとともに、該チエーンコンベヤのチェーンに前記スキッドレールの上面より突出する爪片を適宜間隔にて固着し、該スキッドレール上に載置された搬送物が該チエーンコンベヤを駆動することにより該爪片によって押送され該チエーンコンベヤの搬送面上に移載されるようにしたので、チェーンに衝撃が加わり破損させるおそれがないとともに、駆動源に過大な負荷が掛からないので設備費を軽減できる。また、スキッドレール上に何時でも荷下ろしができるとともに、適宜タイミングで搬送物を送り出すことができ、使い勝手が向上するなど顕著な効果がある。
【図面の簡単な説明】
【図１】本発明に係るチエーンコンベヤ型搬送装置の実施形態を示した側面図。
【図２】図１のチエーンコンベヤ型搬送装置の平面図。
【図３】図１のチエーンコンベヤ型搬送装置の作動状態図。
【図４】図１のチエーンコンベヤ型搬送装置の作動状態図。
【図５】本発明に係るチエーンコンベヤ型搬送装置の他の実施形態を示した側面図。
【符号の説明】
１            チエーンコンベヤ
２            搬送面
３            チエーン
４ａ，４ｂ    爪片
５            モータ
６            スキッドレール
Ｌ            スキッドレールの長さ
ｈ１〜ｈ８    搬送物
【図１】
2005008364.tif 000003
【図２】
2005008364.tif 000004
【図３】
2005008364.tif 000005
【図４】
2005008364.tif 000006
【図５】
2005008364.tif 000007